(57)【要約】【課題】設置面からの張り出しを小さくできる照明装置を提供する。【解決手段】照明装置Ａは、第１方向に長い装置であって、第１方向に沿って配されたＬＥＤ素子１１３を備える照明部１０と、少なくともＬＥＤ素子１１３を点灯させるための電源回路３１を備える点灯ユニット部３０とを備え、ＬＥＤ素子１１３と電源回路３１を収容する筺体２０とを備え、筺体２０には、設置面に取り付けられたダクトレールに着脱可能に装着される複数個の装着プラグ４０，５０が第１方向に間隔をおいて配置され、第１方向に沿って照明部１０と点灯ユニット部３０とがこの順で配されている。【選択図】図３
2018073555.tif 000002
【特許請求の範囲】
【請求項１】
第１方向に長い照明装置であって、
前記第１方向に沿って配されたＬＥＤ素子を備える照明部と、
少なくとも前記ＬＥＤ素子を点灯させるための電源回路を備える点灯ユニット部とを備え、
前記ＬＥＤ素子と前記電源回路を収容する筺体と
を備え、
前記筺体には、設置面に取り付けられたダクトレールに着脱可能に装着される複数個の装着プラグが前記第１方向に間隔をおいて配置され、
前記第１方向に沿って前記照明部と前記点灯ユニット部とがこの順で配されている
照明装置。
【請求項２】
前記電源回路は複数個の回路部品と電源基板とを有し、
１つの前記装着プラグが前記ダクトレールから受電する電源プラグであり、当該電源プラグは前記電源基板の裏側に位置する
請求項１に記載の照明装置。
【請求項３】
前記ＬＥＤ素子の発光状態を制御するためのセンサーを有し、
前記センサーは前記電源基板と異なるセンサー用基板に実装されている
請求項２に記載の照明装置。
【請求項４】
前記センサー用基板は前記電源基板に装着されている
請求項３に記載の照明装置。
【請求項５】
前記センサー用基板は、前記電源基板から離した状態で前記電源基板に係合する取付台に取り付けられている
請求項４に記載の照明装置。
【発明の詳細な説明】
【技術分野】
【０００１】
本発明は、第１方向に長い照明装置に関する。
【背景技術】
【０００２】
第１の方向に長い照明装置として、第１方向に長いレール状の取付部に取り付けるようにしたものが提案されている（例えば、特許文献１）。
特許文献１の照明装置は、長枠と透光パネルとを有し、長枠の下面に光源が配され、長枠の上面に点灯回路が配されている。
【先行技術文献】
【特許文献】
【０００３】
【特許文献１】特許第５５０６７１８号公報
【発明の概要】
【発明が解決しようとする課題】
【０００４】
上記照明装置は、設置面から透光パネルの下端までの距離が大きく、設置面からの張り出しが大きい。
本発明は、このような事情に鑑みてなされたものであって、設置面からの張り出しを小さくできる照明装置を提供することを目的とする。
【課題を解決するための手段】
【０００５】
上記課題を解決するために、本発明の一態様に係る照明装置は、第１方向に長い照明装置であって、前記第１方向に沿って配されたＬＥＤ素子を備える照明部と、少なくとも前記ＬＥＤ素子を点灯させるための電源回路を備える点灯ユニット部とを備え、前記ＬＥＤ素子と前記電源回路を収容する筺体とを備え、前記筺体には、設置面に取り付けられたダクトレールに着脱可能に装着される複数個の装着プラグが前記第１方向に間隔をおいて配置され、前記第１方向に沿って前記照明部と前記点灯ユニット部とがこの順で配されている。
【発明の効果】
【０００６】
本発明によれば、照明部と点灯ユニット部を併設しているため、設置面からの張り出しを小さくできる。
【図面の簡単な説明】
【０００７】
【図１】本実施形態に係る照明装置がダクトレールに取り付けられた状態の図であり、（ａ）は裏側から見た斜視図であり、（ｂ）は正面図である。
【図２】（ａ）は照明装置を電源プラグ側から見た側面図であり、（ｂ）は照明装置をプラグ側から見た側面図である。
【図３】照明装置の縦断面図であり、（ａ）は電源プラグ側の拡大図であり、（ｂ）はプラグ側の拡大図である。
【図４】点灯ユニット部の横断面図である。
【図５】（ａ）は照明部の横断面を表側から見た斜視図であり、（ｂ）は裏側から見た斜視図である。
【図６】（ａ）は照明部の端部の横断面を裏側から見た斜視図であり、（ｂ）は表側から見た斜視図である。
【図７】（ａ）は点灯ユニット部を裏側から見た斜視図であり、（ｂ）は点灯ユニット部を表側から見た斜視図である。
【図８】点灯ユニット部の分解状態を裏側から見た斜視図である。
【図９】ユニットカバーから電源回路とセンサーユニットとを外した状態を表側から見た斜視図である。
【図１０】ユニットカバーから電源回路とセンサーユニットとを外した状態を裏側から見た斜視図である。
【図１１】（ａ）は接続ユニットを表側から見た図であり、（ｂ）は接続ユニットを裏側から見た図である。
【図１２】照明部における点灯ユニット部に近い箇所での横断面を照明部側から見た図である。
【図１３】（ａ）はセンサーユニットの分解状態を表側から見た斜視図であり、（ｂ）はセンサーユニットの分解状態を裏側から見た斜視図である。
【図１４】（ａ）はスペーサーを表側から見た斜視図であり、（ｂ）はスペーサーを裏側から見た斜視図である。
【図１５】電源プラグの分解状態を表側から見た斜視図である。
【図１６】電源プラグの分解状態を裏側から見た斜視図である。
【図１７】（ａ）はプラグの分解状態を表側から見た斜視図であり、（ｂ）はプラグの分解状態を裏側から見た斜視図である。
【発明を実施するための形態】
【０００８】
＜概要＞
一態様に係る照明装置は、第１方向に長い照明装置であって、前記第１方向に沿って配されたＬＥＤ素子を備える照明部と、少なくとも前記ＬＥＤ素子を点灯させるための電源回路を備える点灯ユニット部とを備え、前記ＬＥＤ素子と前記電源回路を収容する筺体とを備え、前記筺体には、設置面に取り付けられたダクトレールに着脱可能に装着される複数個の装着プラグが前記第１方向に間隔をおいて配置され、前記第１方向に沿って前記照明部と前記点灯ユニット部とがこの順で配されている。
【０００９】
別態様に係る照明装置において、前記電源回路は複数個の回路部品と電源基板とを有し、１つの前記装着プラグが前記ダクトレールから受電する電源プラグであり、当該電源プラグは前記電源基板の裏側に位置する。これにより、電源プラグと電源基板とを接続する導電路を短くできる。
別態様に係る照明装置において、前記ＬＥＤ素子の発光状態を制御するためのセンサーを有し、前記センサーは前記電源基板と異なるセンサー用基板に実装されている。これにより、センサーとセンサ用基板とからなるセンサーユニットを別の機種の照明装置と部品の共通化を図ることができる。
別態様に係る照明装置において、前記センサー用基板は前記電源基板に装着されている。これにより、センサー用基板と電源基板とを接続する導電路を短くできる。
別態様に係る照明装置において、前記センサー用基板は、前記電源基板から離した状態で前記電源基板に係合する取付台に取り付けられている。これにより、センサー基板と電源基板との間の絶縁性を確保しやすくなる。
【００１０】
１．概略
図１及び図２を用いて説明する。
照明装置Ａは、第１の方向に長く、設置面に取り付けられたダクトレールＢに着脱可能に装着される。照明装置ＡはダクトレールＢに対して複数個のプラグを利用して装着される。ここでは２個のプラグ４０，５０を利用している。一方のプラグ４０はダクトレールＢから受電する機能を有する電源プラグ４０である。なお、プラグは本発明の「装着プラグ」に相当する。
ここで、照明装置Ａの第１方向を長さ方向といい、照明装置Ａを設置面に装着した際に、設置面と平行であって長さ方向と直交する方向を幅方向とし、長さ方向と幅方向とに直交する方向、つまり、設置面に直交する方向を厚さ方向や表裏方向とする。
なお、ダクトレールＢの延伸する方向は、照明装置Ａの長さ方向と一致するものとし、ダクトレールＢに対しても、長さ方向、幅方向及び厚み方向（表裏方向）の３つの方向を用いて説明する。
【００１１】
２．ダクトレール
図１及び図２、特に図２を用いて説明する。
ダクトレールＢは、矩形筒状の表壁に長さ方向に延伸するレール溝１ａを有するダクト本体１と、ダクト本体１内に配された一対の導電レール３と、ダクト本体１内に挿入され且つ各導電レール３を保持するレール保持体５とを備える。なお、レール保持体５は、幅方向と直交する側壁に設けられ、導電レール３を表壁から間隔を置いて保持する。その間にプラグ４０，５０の延伸片４６ｂ，４６ｃ，５１ｂが回転操作により係合する。
【００１２】
３．照明装置
主に図３を用いて説明する。
照明装置Ａは長さ方向に照明部１０と点灯ユニット部３０と電源プラグ４０とプラグ５０とを備える。
照明部１０は、長さ方向に沿って配された複数個のＬＥＤ素子１１３と、複数個のＬＥＤ素子１１３を収容する照明ケース１９とを少なくとも備える。ここでは、複数個のＬＥＤ素子１１３は長さ方向に長い長尺状の１枚又は複数枚のＬＥＤ用基板１１１に実装されてなるモジュールタイプで収容される。なお、ＬＥＤ用基板１１１にＬＥＤ素子１１３が実装されたものをＬＥＤモジュール１１とする。
照明部１０は、ＬＥＤモジュール１１を搭載するためのベース１２と、ＬＥＤモジュール１１をベース１２に固定するため基板固定具１３とを備える。照明部１０はＬＥＤモジュール１１を表側から覆う照明カバー１４を備える。照明カバー１４はベース１２に取り付けられる。照明カバー１４がベース１２に取り付けられた状態は筒状をしている。このため、照明部１０は照明カバー１４とベース１２の長さ方向の端にエンドカバー１５を備える。なお、ここでの照明ケース１９はベース１２と照明カバー１４とエンドカバー１５とから構成されている。
つまり、ここでの照明部１０は、ＬＥＤモジュール１１と、ベース１２と、基板固定具１３と、照明カバー１４と、エンドカバー１５とを備える。なお、これら以外のものを備えてもよい。
【００１３】
点灯ユニット部３０は、ＬＥＤ素子１１３を点灯させるための電源回路３１と、電源回路３１を収容する電源ケース３２と、電源回路３１と電源プラグ４０とを電気的に接続するための接続ユニット３３を備える。ここでの電源ケース３２は、照明部１０のベース１２を利用しており、ベース１２とユニットカバー３５とから構成される。点灯ユニット部３０はＬＥＤ素子１１３の発光状態を制御するためのセンサーユニット３７を備える。
電源ケース３２は、電源回路３１全体を囲む必要はなく、意匠的な観点や、シールド、放熱などの機能的な観点から、必要に応じて電源回路３１を樹脂板、板金等で覆うように構成される。
電源プラグ４０とプラグ５０は照明ケース１９と電源ケース３２とで構成される筐体２０に設けられている。なお、電源プラグ４０及びプラグ５０は長さ方向に間隔を置いて配されている。
【００１４】
４．照明部
照明部１０は、上述の通り、ＬＥＤモジュール１１、ベース１２、基板固定具１３、照明カバー１４、エンドカバー１５を備え、以下、各部について説明する。
（１）ＬＥＤモジュール
主に図３及び図５を用いて説明する。
ＬＥＤモジュール１１は、長尺矩形状のＬＥＤ用基板１１１と、ＬＥＤ用基板１１１の長さ方向に沿って配された複数個のＬＥＤ素子１１３とを備える。なお、ＬＥＤ用基板１１１はＬＥＤ素子１１３を接続するための配線パターンを有している。
ＬＥＤモジュール１１は長さ方向に複数個ある。長さ方向に複数個配されたＬＥＤモジュール１１の内、点灯ユニット部３０に最も近い位置のＬＥＤモジュール１１には、図３及び図１２に示すように、電源回路３１と接続するためのコネクタ１１５が設けられている。なお、ＬＥＤモジュールは１個であってもよい。
【００１５】
（２）ベース
主に図５を用いて説明する。
ベース１２は例えば金属板を湾曲・湾曲させてなる。長尺状のベース１２の横断面は一定である。ベース１２は、横断面において、表側が開放するコ字状部１２１と、コ字状部１２１の開放側端から傾斜状に延伸する傾斜部１２３と、傾斜部１２３におけるコ字状部１２１と反対側端から設置面側に延伸した後に折り返される折返部１２５とを有する。
コ字状部１２１における設置面と略平行な平坦部分１２１ａには反射シート１６を介してＬＥＤモジュール１１が搭載される。
傾斜部１２３はコ字状部１２１の開放側端から幅方向の外側に広がり且つ表側に下がるように傾斜する。折返部１２５は傾斜部１２３の幅方向の端から幅方向の内側に狭まり且つ裏側に上がるように傾斜する。なお、傾斜部１２３における折返部１２５に近い部分と折返部１２５は照明カバー１４に取り付けられる。
【００１６】
（３）基板固定具
図５及び図６、特に図５を用いて説明する。
基板固定具１３は、例えば方形状の平板部１３１と、平板部１３１における幅方向の両側から表側に「Ｌ」字状に延伸する係止部１３３，１３５とを有する。係止部１３３，１３５がベース１２の貫通溝１２１ｈ（図６参照）及び反射シート１６の孔１６ａを裏側から挿通するように、基板固定具１３の平板部１３１がベース１２の裏側に配される。
ＬＥＤ用基板１１１は、ベース１２のコ字状部１２１の平坦部分１２１ａと「Ｌ」字状の係止部１３３，１３５の延伸先端部分との間に配されることで、基板固定具１３により固定される。
【００１７】
（４）照明カバー
図５及び図６、主に図５を用いて説明する。
照明カバー１４は例えば透光性樹脂製であり、その横断面は一定である。照明カバー１４は、横断面において、裏側拡がりに裏側が開放するコ字状部１４１と、コ字状部１４１の裏側端から裏側に延伸する側板部１４３とを有している。照明カバー１４は、傾斜部１２３の表面に沿って延伸する表側延伸部１４５と、折返部１２５に沿って延伸する裏側延伸部１４７とを側板部１４３に有する。これにより、照明カバー１４がベース１２に取り付けられる。なお、照明カバー１４は長さ方向に間隔をおいて固定具、例えばリベット１４９でベース１２に固定されている。
【００１８】
（５）エンドカバー
図６を用いて説明する。
エンドカバー１５は、図３の（ｂ）に示すように、ベース１２と照明カバー１４との長さ方向の一端開口を塞ぐ。長さ方向の他端開口は、図３の（ａ）に示すように、点灯ユニット部３０のユニットカバー３５により塞がれる。
エンドカバー１５は、ベース１２と照明カバー１４とからなる筒状体の開口を塞ぐ平板部１５１と、平板部１５１から照明カバー１４の内面に沿って延伸するカバー嵌合部１５３と、平板部１５１からベース１２のコ字状部の外面に沿って傾斜部１２３の途中まで延伸するベース嵌合部１５５とを有する。
【００１９】
照明装置Ａは、ダクトレールＢに取り付ける際又は取り付けた後の装置の位置ズレを規制するための位置規制部を備える。ここでは、位置規制部がエンドカバー１５に設けられている。なお、位置規制部は位置規制具としてベース１２に設けてもよい。エンドカバー１５は、位置規制部１５７として、レール溝１ａに嵌合状態で挿入される挿入部分１５７ａと、ダクト本体１におけるレール溝１ａ周辺部に表側から当接する当接部分１５７ｂとを有する。換言すると、位置規制部１５７は、裏側端部が「凸」字状をする平板部１５１の周縁から長さ方向に延伸する凸字状部分により構成されている。なお、凸字状部分の先端部分（１５７ａ）がダクトレールＢのレール溝１ａに嵌り、凸字状部分の段差部分（１５７ｂ）がダクト本体１の表面に当接する。
【００２０】
エンドカバー１５は、位置規制部１５７の表側端からは幅方向に延伸する延伸部１５４を有している。延伸部１５４はベース１２の平坦部分１２１ａと間隔を置いて平行に延伸する。延伸部１５４には表側に凹入する凹み部分１５４ａを有している。ここでの凹み部分１５４ａの底はベース嵌合部１５５でもある。これにより、位置規制部１５７や延伸部１５４の強度を高められる。
凹み部分１５４ａには貫通孔（図示省略）が設けられている。この貫通孔の表側にはねじ穴付きのボス１５８が設けられている。ボス１５８はカバー嵌合部１５３と連結している。凹み部分１５４ａ内に配されたねじ８７（図１７の（ｂ）参照）が底の貫通孔を挿通してボス１５８のねじ穴に螺合する。これにより、エンドカバー１５がベース１２に固定される。
【００２１】
エンドカバー１５は、延伸部１５４におけるエンドカバー１５の幅方向の端側に位置する部分に裏側に突出する突出部１５９を有している。突出部１５９は、ダクトレールＢから照明装置Ａを取り外す際に回転操作するプラグ５０の操作レバー５１ｃの回転止めの機能も有する。ここでの突出部１５９は照明カバー１４の側板部１４３の延長上に位置するように（側板部１４３と面一状になるように）幅方向にも突出している。
【００２２】
５．点灯ユニット部
点灯ユニット部３０は、図８に示すように、電源回路３１、接続ユニット３３、ユニットカバー３５、センサーユニット３７（図３の（ａ）参照）を備える。なお、センサーユニット３７は電源回路３１と共にユニットカバー３５に組み込まれる。
【００２３】
（１）電源回路
主に図８〜図１０を用いて説明する。
電源回路３１は、電源基板３１１と、電源基板３１１の表面に実装されて電源回路を構成する複数個の回路部品３１３とを備える。図９及び図１０では、回路部品３１３をまとめて１つで示している。
電源回路３１は２種類のコネクタ（図示省略）を電源基板３１１に備える。１つのコネクタは接続ユニット３３と電気的に接続されるケーブル３１５用である。もう１つのコネクタはＬＥＤモジュール１１に接続されるケーブル３１６用である。
電源回路３１は回路部品３１３の放熱性を向上させる放熱手段を備える。ここでは、放熱手段として例えば電源基板３１１の裏面に配された放熱樹脂体３１７が用いられている。放熱樹脂体３１７は例えば電源基板３１１にポッティングされたシリコーン樹脂等により構成される。
電源基板３１１は電源回路３１をユニットカバー３５に取り付けるための取付部を有している。ここでは、取り付けにねじ８０を利用しており、取付部としてねじ８０用の貫通孔３１１ａや欠け３１１ｂが用いられている。なお、ユニットカバー３５をベース１２に固定する固定具（図８のねじ８３である）と干渉しないように、電源基板３１１は欠け３１１ｃを有している。
【００２４】
（２）接続ユニット
図８及び図１１、特に図１１を用いて説明する。
接続ユニット３３は、電源回路３１からのケーブル３１５と電源プラグ４０の電極板４２（図１５及び図１６参照）とを電気接続する機能を有する。図１１は、電源プラグ４０の電極板４２と接触する導電板３３３の固定状態を説明するために、一方の導電板３３３及びケーブル３１５の図示を省略している。
接続ユニット３３は、絶縁性のプレート３３１と、電源プラグ４０側と電気的に接続する一対の導電板３３３と、ケーブル３１５を導電板３３３と接触状態でプレート３３１に固定するための固定部とを備える。
【００２５】
（２−１）プレート
図８及び図１１、特に図１１を用いて説明する。
プレート３３１は幅方向の中央を通り長さ方向に延伸する仮想線に対して線対称となるような形状をしている。プレート３３１は、矩形状に似た形状の平板部３３１ａと、平板部３３１ａに設けられ且つ立設状態の導電板３３３の両面に沿って突出する複数の突出部３３１ｂ〜３３１ｇ、３３１ｂ〜３３１ｇとを有している。
【００２６】
平板部３３１ａの幅方向の寸法はベース１２のコ字状部１２１の内寸法と一致する（図４参照）。これにより接続ユニット３３の幅方向の移動が規制される。プレート３３１は平板部３３１ａの幅方向の両端側であってＬＥＤモジュール１１と反対側に位置する角に欠け３３１ｈを有している。欠け３３１ｈを利用してケーブル３１５が接続ユニット３３の表側に導出される。
複数の突出部３３１ｂ〜３３１ｇは、導電板３３３が平板部３３１ａに対して立設するように、導電板３３３を支持する。一対の導電板３３３は対向するように平行に配されている。突出部３３１ｂ〜ｄは一対の導電板３３３が対向する面と反対側の面に当接し、突出部３３１ｅ〜ｈは一対の導電板３３３が対向する面に当接する。
【００２７】
プレート３３１は幅方向の両端から裏側に立設する立設板部３３１ｊを有する。接続ユニット３３がベース１２に取り付けられた際に立設板部３３１ｊがベース１２に当接する。これにより平板部３３１ａとベース１２との間隔が確保される。
プレート３３１は接続ユニット３３をベース１２に固定するための固定部を有している。ここでは、図８に示すように固定にねじ８１を利用するため、図１１に示すようにプレート３３１はねじ穴３３１ｋを有する突起部（例えばボス）３３１ｌを各立設板部３３１ｊの近くに有している。
プレート３３１は接続ユニット３３をベース１２に対して位置決めするための位置決め手段を有している。ここでは、位置決めに嵌合構造を利用するため、取付板４４の孔付ボス４４ｊの孔（図１５参照）に挿入する凸部３３１ｍを有する。凸部３３１ｍは立設板部３３１ｊに近設する突起部（例えばボス）３３１ｎの突出先端に設けられている。突起部３３１ｎは、図８に示すように、絶縁シート３４の貫通孔３４ｂ、ベース１２の貫通孔１２１ｄを挿通する。
【００２８】
プレート３３１は平板部３３１ａの中央に貫通孔３３１ｐを有している。貫通孔３３１ｐは電源プラグ４０用である。プレート３３１は平板部３３１ａにねじ孔３３１ｑを有している。ねじ孔３３１ｑは導電板３３３用である。導電板３３３の固定にねじ８２を利用し、ねじ８２はケーブル３１５の丸端子３１５ａを挿通してねじ孔３３１ｑに螺合する。
【００２９】
（２−２）導電板
導電板３３３は電源プラグ４０の回転により電源プラグ４０の電極板４２と接触するように設けられている。導電板３３３は、電極板４２と接触する接触部と、プレート３３１に固定するための固定部とを有している。導電板３３３はＬ字帯片部３３３ａと板片部３３３ｂとを有する。Ｌ字帯片部３３３ａは、プレート３３１の平板部３３１ａと直交する方向（設置面が存存する側）から見たときに、帯片を「Ｌ」字状に屈曲させたような形状をしている。Ｌ字帯片部３３３ａの長辺部分３３３ｃが接触部を構成する。
板片部３３３ｂはＬ字帯片部３３３ａの短辺部分３３３ｄに連続し且つ短辺部分３３３ｄと直交する方向に延伸する。板片部３３３ｂは貫通孔を有している。ケーブル３１５を固定するねじ８２は、ケーブル３１５の丸端子３１５ａの貫通孔、導電板３３３の貫通孔を挿通してプレート３３１のねじ孔３３１ｑに螺合する。このようにここでの固定部はねじ孔３３１ｑにより構成されている。
【００３０】
（３）ユニットカバー
図７〜図１０、特に、図９及び図１０を用いて説明する。
ユニットカバー３５は裏側が開放する箱状をしている。
ユニットカバー３５は、長さ方向に長い矩形状の底板部３５１と、底板部３５１の長辺側端部から立設する一対の長側板部３５３と、底板部３５１の短辺側端部から幅拡がりに立設する一対の短側板部３５５，３５６とを有している。短側板部３５５は照明装置Ａにおける長さ方向の端に位置し、短側板部３５６は点灯ユニット部３０における照明部１０に近い側に位置する。ユニットカバー３５は電源回路３１を取り付ける電源取付部３５７を有している。ユニットカバー３５は電源ケース３２を構成するためにベース１２に取り付けるためのベース取付部３５８を有している。
【００３１】
（３−１）底板部
照明装置ＡはＬＥＤ素子１１３の点灯状態を制御するためのセンサーを備える。ここでは、センサーとして人感センサー３７１と照度センサー３７２とを備える。照明装置Ａは装置の動作状態を示すインジケータ３７３を備える。
底板部３５１はセンサー用の窓を有している。センサー用の窓はここでは貫通孔により構成される。窓は人感センサー用孔３５１ａと照度センサー用孔３５１ｂがある。底板部３５１はインジケータ用の窓を有している。窓は貫通孔により構成されている。ここでは、インジケータ用孔３５１ｃと照度センサー用孔３５１ｂとは一体で設けられ、全体として瓢箪状をしている。
底板部３５１は各窓の孔３５１ａ，３５１ｂ，３５１ｃの周辺にカバー内側に張り出す内鍔部分を有している。人感センサー用が内鍔部分３５１ｄである。照度センサー用が内鍔部分３５１ｅである。インジケータ用が内鍔部分３５１ｆである。なお、照度センサー用とインジケータ用の内鍔部分３５１ｅ，３５１ｆは一体で設けられている。
【００３２】
（３−２）長側板部
長側板部３５３は、照明カバー１４のコ字状部１４１の幅方向の両端に向けて傾斜する第１長側板部分３５３ａと、第１長側板部分３５３ａから裏方向に延伸する第２長側板部分３５３ｂを有している。これにより、照明部１０の横断面形状を含む形状となる。含む形状とは、長さ方向から照明装置Ａを見たときに、照明部１０が点灯ユニット部３０から幅方向に張り出したり、点灯ユニット部３０が照明部１０から幅方向に張り出したりすることがない形状をいう。長側板部３５３は内側下がりの段差部分３５３ｄを有している。段差部分３５３ｄはベース１２における傾斜部１２３と折返部１２５との結合部分と嵌合する。
【００３３】
（３−３）短側板部
短側板部３５５は、図３に示すように、電源ケース３２における長さ方向と直交する側壁であって照明装置Ａにおける長手方向の電源プラグ４０側の端部の外側壁を構成するような形状をしている。つまり、短側板部３５５は、底板部３５１と一対の長側板部３５３の長さ方向の端縁を連結し且つ長側板部３５３よりも裏側に張り出す形状をしている。
短側板部３５６は、図９に示すように、底板部３５１から照明部１０に向かって傾斜して延伸する傾斜板部分３５６ａと、傾斜板部分３５６ａから裏側に向かって立設する立設板部分３５６ｂ（図１０参照）とを有している。
【００３４】
短側板部３５６は他方の短側板部３５５と反対側に突出する第１突出部分３５６ｃを立設板部分３５６ｂに有している。第１突出部分３５６ｃは照明ケース１９（ベース１２と照明カバー１４とから構成される）の内周面と嵌合するように突出する。これにより、ユニットカバー３５の照明部１０に対する位置決めが可能となる。
【００３５】
短側板部３５６は他方の短側板部３５５と反対側に突出する第２突出部分３５６ｄを傾斜板部分３５６ａと立設板部分３５６ｂとに跨るように有している。第２突出部分３５６ｄは、突出先端が照明カバー１４の端面と当接し、その外面が照明カバー１４の外面と略面一となる状態で突出する。これにより、照明部１０と点灯ユニット部３０との接続部分の意匠性を高めることができる。
短側板部３５６は電源回路３１とＬＥＤモジュール１１とを電気的に接続するケーブル３１６を配置するための凹部分３５６ｅを立設板部分３５６ｂに有している。
【００３６】
（３−４）電源取付部
電源回路３１は固定具の一例であるねじ８０を利用してユニットカバー３５に固定される。電源取付部３５７は、ねじ８０が螺合するためのねじ穴３５７ａにより構成される。ここでのねじ穴３５７ａは、底板部３５１や短側板部３５６から裏側に延伸するボス３５７ｂに設けられている。
ここでのボス３５７ｂ（ねじ穴３５７ａ）は３か所に設けられている。３か所とも底板部３５１の長手方向の両側であり、２個のボス３５７ｂが底板部３５１における短側板部３５５側に、１個のボス３５７ｂが底板部３５１における短側板部３５６側にそれぞれ設けられている。ボス３５７ｂは短側板部３５５，３５６にリブ３５７ｃを介して接続している。
電源取付部３５７は、電源回路３１を表側から支持する支持部分を有している。ここでは、支持部分として後述のベース取付部３５８のボス３５８ｂに設けられたリブ３５７ｄにより構成される。
【００３７】
（３−５）ベース取付部
ユニットカバー３５とベース１２との固定に固定具を利用している。ここでは、図８に示すように固定具としてねじ８３が利用されている。ベース取付部３５８は、図１０に示すように、ねじ８３が螺合するためのねじ穴３５８ａにより構成される。ここでのねじ穴３５８ａは、底板部３５１や短側板部３５６から裏側に延伸するボス３５８ｂに設けられている。
ここでのボス３５８ｂ（ねじ穴３５８ａ）は３か所に設けられている。３か所とも底板部３５１の長手方向の両側であり、１個のボス３５８ｂが底板部３５１における短側板部３５５側に、２個のボス３５８ｂが底板部３５１における短側板部３５６側にそれぞれ設けられている。ボス３５８ｂは短側板部３５５，３５６にリブ３５８ｃを介して接続している。
【００３８】
（４）センサーユニット
図９及び図１０を用いて説明する。
センサーユニット３７は、図３の（ａ）に示すように、電源基板３１１に絶縁シート（絶縁板）３７８を介して取り付けられている。センサーユニット３７は、人感センサー３７１、照度センサー３７２、インジケータ３７３、センサー３７１，３７２及びインジケータ３７３を実装するためのセンサー用基板３７４と、センサー３７１，３７２及びインジケータ３７３を支持するスペーサー３７５と、センサー用基板３７４を支持すると共に電源基板３１１に取り付けられる取付台３７６とを備える。
【００３９】
（４−１）センサー及びインジケータ
図１３及び図１４を用いて説明する。
人感センサー３７１は人を検知すると、その出力電荷（電圧）が変動する。人感センサー３７１の出力電圧の変動は照明部１０の点灯・消灯の判断に用いられる。なお、ここでの人感センサー３７１は赤外線を利用している。なお、人感センサー３７１はレンズ３７１ａが取付けられている。
照度センサー３７２は受光量に対応した電荷（電圧）を出力する。照度センサー３７２の周辺の明るさに対応した電荷は照明部１０の点灯・消灯の判断に用いられる。
ここでは、周辺が暗い状態でのみ、人の検知があると照明部１０が点灯し、人の検知がなくなると照明部１０は消灯する。
インジケータ３７３は、電源回路３１が正常に稼働している場合に点灯し、稼働に異常あると消灯する。
【００４０】
（４−２）センサー用基板
図１３を用いて説明する。
センサー用基板３７４は、人感センサー３７１、照度センサー３７２及びインジケータ３７３を実装する。センサー用基板３７４は、図示省略のケーブルを接続するコネクタ３７７を有している。ケーブルは電源回路３１と接続され、当該ケーブルを介して、人感センサー３７１やインジケータ３７３を駆動させたり、センサー３７１，３７２の電荷変動を電源回路３１に出力したりする。なお、センサー用基板３７４は矩形状をしている。
【００４１】
（４−３）スペーサ
図１３及び図１４、主に図１４を用いて説明する。
スペーサー３７５は、センサー３７１，３７２及びインジケータ３７３の本体と、センサー用基板３７４との間を埋める機能を有する。具体的は、スペーサー３７５は、センサー３７１，３７２及びインジケータ３７３と当接するセンサー側当接部と、センサー用基板３７４と当接する基板側当接部とを一体に有し、センサー３７１，３７２及びインジケータ３７３のリード線が配される配線部を有している。
【００４２】
スペーサー３７５は、人感センサー３７１用の筒状部３７５ａと、照度センサー３７２用の柱状部３７５ｂと、インジケータ３７３用の筒状部３７５ｃとを備える。柱状部３７５ｂと筒状部３７５ｃとが一体化され、この一体化されたものに筒状部３７５ａが連結部３７５ｄにより連結されている。柱状部３７５ｂは外周側に軸心と平行に延伸する溝３７５ｇを有している。スペーサー３７５は、裏側に突出する第１突出部３７５ｅを筒状部３７５ａ，３７５ｃ及び柱状部３７５ｂの裏面に複数個有する。
筒状部３７５ａ，３７５ｃ及び柱状部３７５ｂにおける表側面がセンサー側当接部に相当し、筒状部３７５ａ，３７５ｃ及び柱状部３７５ｂの第１突出部３７５ｅが基板側当接部に相当する。筒状部３７５ａ，３７５ｃの内部空間が配線部に相当し、柱状部３７５ｂの溝３７５ｇが配線部に相当する。
【００４３】
スペーサー３７５はセンサー用基板３７４に固定するための固定部を有している。ここでの固定部は、柱状部３７５ｂ及び筒状部３７５ｃの第１突出部３７５ｅからさらに裏側に突出する第２突出部３７５ｆにより構成される。この第２突出部３７５ｆはセンサー用基板３７４の貫通孔３７４ａに圧入される（図１３の（ｂ）参照）。なお
スペーサーを接着や固定具（ねじ、リベット等）でセンサー用基板に固定してもよい。
【００４４】
（５）取付台
図１３を用いて説明する。
取付台３７６は、センサー用基板３７４を支持する支持部と、電源基板３１１に取り付ける取付部とを一体に有する。取付部は支持部で支持するセンサー用基板３７４を固定する固定部を備える。
【００４５】
取付台３７６は表側に開口する箱状部３７６ａを有する。箱状部３７６ａはセンサー用基板３７４に対応した矩形状をし、センサー用基板３７４が表側から嵌るように構成されている。箱状部３７６ａは裏側下がりの段差部３７６ｂを内周に有している。段差部３７６ｂの表面でセンサー用基板３７４を支持する。なお、箱状部３７６ａの底部分からの段差部３７６ｂの高さは、センサー用基板３７４の裏面から延出するリード線の長さより大きい。なお、リード線は人感センサー３７１、照度センサー３７２及びインジケータ３７３のリード線である。これにより、リード線が取付台３７６に接触することなく、センサー用基板３７４が取付台３７６に支持される。
【００４６】
取付台３７６は、箱状部３７６ａの対向する一対の側板部から表側に板状に延伸する延伸板部３７６ｃを有する。延伸板部３７６ｃの延伸先端に他方の延伸板部３７６ｃに向かって張り出す段差部分３７６ｄを有する。これにより、箱状部３７６ａに配されたセンサー用基板３７４の表面が段差部分３７６ｄで係止される。なお、延伸板部３７６ｃは長辺に相当する側板部から延伸する。
【００４７】
取付台３７６は裏側に突出する突出部３７６ｆ，３７６ｇ，３７６ｈを有している。突出部３７６ｆ，３７６ｈは棒状に突出する。突出部３７６ｇは、ねじ穴３７６ｊを中心軸に有するボス状に突出する。突出部３７６ｆ，３７６ｇ，３７６ｈの突出量は同じである。なお、突出量は絶縁シート（絶縁板）３７８（図９参照）の厚みよりも大きい。
突出部３７６ｆ，３７６ｇ，３７６ｈは箱状部３７６ａの矩形状の底部分の４つの角部に設けられている。２つの突出部３７６ｆは矩形状の長手方向の一方端側に存する。なお、図９に示すように、突出部３７６ｇは絶縁シート３７８の貫通孔３７８ａに嵌って電源基板３１１に当接する。突出部３７６ｈは絶縁シート３７８の貫通孔３７８ｂに嵌って電源基板３１１に当接する。
これにより、取付台３７６を電源基板３１１に安定した状態で取り付けることができる。突出部３７６ｇのねじ穴３７６ｊには、図９及び図１０に示すように、電源基板３１１の貫通孔３１１ｄ、絶縁シート３７８の貫通孔３７８ａを挿通するねじ８５が螺合する。これにより、取付台３７６が電源基板３１１に取り付けられる。
【００４８】
取付台３７６は突出部３７６ｈからさらに突出する凸部分３７６ｋを有している。突出部３７６ｈは絶縁シート３７８の貫通孔３７８ｂに嵌り、凸部分３７６ｋは電源基板３１１の貫通孔（図示省略）に嵌合する。
取付台３７６は箱状部３７６ａの底壁板から逆「Ｌ」字状に延出する延出片３７６ｍを有している。延出片３７６ｍは、箱状部３７６ａに向かって張り出す段差部分３７６ｎを延伸先端に有する。これにより、取付台３７６の突出部３７６ｆ，３７６ｇ，３７６ｈを電源基板３１１に当接させた状態で、電源基板３１１の裏面に段差部分３７６ｎが係止する。図９及び図１０に示すように、電源基板３１１における被係止部分は電源基板３１１の中央側に凹入する凹み３１１ｆとなっている。これにより係止位置がずれるのを規制できる。
【００４９】
６．電源プラグ
図７、図８、図１５及び図１６、特に図１５及び図１６を用いて説明する。
電源プラグ４０は、ダクトレールＢへの取付機構とダクトレールＢからの受電機構を有する。電源プラグ４０は、回転体４１と、ダクトレールＢと電気的に接続する一対の電極板４２と、一対の電極板４２を回転体４１に固定する電極板固定体４３とを有する。電源プラグ４０は取付板４４を利用してベース１２に取り付けられる。
【００５０】
（６−１）回転体
回転体４１は、大部分が取付板４４の裏側に配される回転体本体４６と、取付板４４の表側に配される端子台４７とを有している。なお、回転体本体４６、端子台４７、電極板４２、電極板固定体４３、取付板４４はねじ４８により一体化される。
回転体本体４６は、ダクトレールＢと直交する方向（厚み方向）に貫通する貫通孔４６ａと、ダクトレールＢのレール溝１ａに係合する一対の延伸片４６ｂ，４６ｃと、取付板４４の円形状の貫通孔４４ａに嵌合する円筒部４６ｅと、回転体４１を回転操作する際の操作レバー４６ｄとを有している。
【００５１】
貫通孔４６ａはダクトレールＢ側から見ると正方形状をしている。正方形状を構成する対向する２辺が一対の延伸片４６ｂ，４６ｃを結ぶ仮想線上に位置するように、貫通孔４６ａが設けられている。貫通孔４６ａにおける延伸片４６ｂ，４６ｃを結ぶ仮想線上に位置する対向面に一対の電極板４２が配される。
一対の延伸片４６ｂ，４６ｃは貫通孔４６ａと直交する方向であって相反する方向に延伸する。一対の延伸片４６ｂ，４６ｃはダクトレールＢのレール溝１ａに係合する係合片として機能する。
操作レバー４６ｄは回転体４１を回転軸廻りに回転させる際に操作するためのものである。操作レバー４６ｄは一対の延伸片４６ｂ，４６ｃよりも表側に設けられている。
【００５２】
端子台４７はダクトレールＢと直交する方向（厚み方向）に貫通する貫通孔４７ａを有する。端子台４７は、一対の欠け部４７ｂを有する円盤部４７ｃと、円盤部４７ｃの中央表側から延出する台座部４７ｄとを有し、貫通孔４７ａは円盤部４７ｃ及び台座部４７ｄを貫通する。
円盤部４７ｃは、取付板４４に取り付けられた際に、取付板４４の凹部４４ｄにおける底部分に当接又は近接する。欠け部４７ｂは貫通孔４７ａを挟んで対向する部分に設けられている。台座部４７ｄは円盤部４７ｃの表面から四角形状に突出する。台座部４７ｄの側面と欠け部４７ｂの貫通孔４７ａ側部分とが略面一となっており、この面一になった部分に電極板４２が配される。
【００５３】
（６−２）電極板
電極板４２は矩形薄板をコ字状に湾曲させてなる。両端部（４２ａ，４２ｂ）を除いた中間部４２ｃが回転体４１の貫通孔４６ａ，４７ａ内に配される。電極板４２のダクトレールＢに近い一端部４２ａは外側に屈曲してダクトレールＢ内で導電レール３と接触する（図２参照）。電極板４２の他端部４２ｂは端子台４７の台座部４７ｄの側面に露出して、接続ユニット３３との接続部となる。
【００５４】
（６−３）電極板固定体
電極板固定体４３は、筒状をし、回転体本体４６の貫通孔４６ａに挿入される本体側挿入部４３ａと、端子台４７の貫通孔４７ａに挿入される端子側挿入部４３ｂとを一体に有し、本体側挿入部４３ａと端子側挿入部４３ｂにねじ４８用のねじ穴４３ｃが設けられている。
電極板固定体４３は、回転体４１の貫通孔４６ａ，４７ａに電極板４２が配された状態で、本体側挿入部４３ａの大部分と端子側挿入部４３ｂが貫通孔４６ａ，４７ａに挿入されてねじ４８で一体化されることで、一対の電極板４２を固定する。
【００５５】
（６−４）取付板
取付板４４は電源プラグ４０が取付けられた状態でベース１２に固定される。
取付板４４は、長さ方向に長い形状をし、横断面形状が一定で表側が開放する「コ」字状をしている（図４参照）。取付板４４は、矩形状の平板部４４ｂと、平板部４４ｂの幅方向の両端から表側に延伸する側板部４４ｃを有する。
取付板４４は、長さ方向の略中央に裏側に凹入する凹部４４ｄを平板部４４ｂに有し、凹部４４ｄの底部分に貫通孔４４ａが設けられている。凹部４４ｄの底部分は、電源プラグ４０の回転体本体４６の円筒部４６ｅが貫通孔４４ａに嵌合する状態で、回転体本体４６と端子台４７とで挟持される。凹部４４ｄ及び貫通孔４４ａは平板部４４ｂと直交する方向から見たときに、電源プラグ４０の円筒部４６ｅ及び円盤部４７ｃと同様に円形状をしている。これにより、電源プラグ４０は取付板４４に対して回転自在に取り付けられる。
【００５６】
取付板４４は、貫通孔４４ａに対して長さ方向の両側に裏側に突出する突部４４ｆ，４４ｇを平板部４４ｂに有している。突部４４ｆは段付きの「凸」字状に突出し、先端部分がダクトレールＢのレール溝１ａに嵌り（図２の（ａ）参照）、段差部分がダクト本体１の表面に当接する。突部４４ｇは直方体状に突出し、ダクト本体１の表面に当接する。これにより、電源プラグ４０をダクトレールＢに対してガタつきなく、取り付けることができる。
【００５７】
取付板４４は段付孔４４ｈを平板部４４ｂに複数個有している。段付孔４４ｈはここでは３個ある。図８に示すように、ねじ８３が裏側から、段付孔４４ｈ、ベース１２の貫通孔１２１ｂを通り、ユニットカバー３５のねじ穴３５８ａに螺合する。これにより、電源プラグ４０付き取付板４４をベース１２に固定できると共に電源回路３１を収容するユニットカバー３５と一体化される。なお、図８に示すように、接続ユニット３３と電源回路３１との間には絶縁シート３６が配されている。
【００５８】
取付板４４は段付孔４４ｉを平板部４４ｂに複数個有している。段付孔４４ｉはここでは２個ある。取付板４４は孔付ボス４４ｊを平板部４４ｂの表側に複数個有している。図８に示すように、ねじ８１が裏側から、段付孔４４ｉ、ベース１２の貫通孔１２１ｃ、絶縁シート３４の貫通孔３４ａを挿通して接続ユニット３３のねじ穴３３１ｋに螺合する。これにより、電源プラグ４０付き取付板４４、ベース１２、絶縁シート３４、接続ユニット３３を一体化できる。なお、この一体化された状態では、孔付ボス４４ｊ（図１５参照）がベース１２の貫通孔１２１ｄ、絶縁シート３４の貫通孔３４ｂに嵌り、孔付ボス４４ｊの孔に接続ユニット３３の凸部３３１ｍが嵌る。これにより、接続ユニット３３の位置決めがされる。
【００５９】
取付板４４は突部４４ｇ内にねじ穴４４ｋ有している。図８に示すように、ベース１２の表側からベース１２の貫通孔１２１ｅを挿通するねじ８６がねじ穴４４ｋに螺合する。取付板４４は長さ方向における照明部１０と反対側の端部に係合片４４ｍを幅方向に間隔をおいて平板部４４ｂに有している。係合片４４ｍはベース１２の長さ方向の端部の欠け部１２１ｆに螺合する。
【００６０】
取付板４４は長手方向に沿って延伸する複数本のリブを表面に有する。ここでのリブは４本ある。なお、４本のリブ４４ｐ，４４ｑは補強機能も有する。
２本のリブ４４ｐの間隔は、図４に示すように、ベース１２のコ字状部１２１の幅方向の外側に位置する。これにより、ベース１２に対して取付板４４が幅方向に移動するのを規制できる。
２本のリブ４４ｑの間隔は、図４に示すように、ベース１２の折返部１２５の幅方向の内側に位置する。これにより、ベース１２に対して取付板４４が幅方向に移動するのを規制できる。
【００６１】
７．プラグ
図３の（ｂ）及び図１７、特に図１７を用いて説明する。
プラグ５０はダクトレールＢへの取付機構を有する。プラグ５０は、回転体５１と、回転体５１を回転自在に取り付ける取付板５３とを備える。取付板５３は固定具によりベース１２に固定される。
【００６２】
（７−１）回転体
回転体５１は、円柱状の回転体本体５１ａと、回転体本体５１ａから設置面と直交する方向に延伸する一対の延伸片５１ｂと、回転体本体５１ａから設置面と直交する方向に延伸する操作レバー５１ｃとを有する。
回転体本体５１ａは、図３の（ｂ）に示すように、裏側から表側に延びる穴５１ｄを有し、穴５１ｄの底から表側に貫通する貫通孔５１ｅを有する。穴５１ｄの内部にはねじ８９が配され、当該ねじ８９が、波形ワッシャ（図示省略）及び回転体本体５１ａの貫通孔５１ｅを挿通して、取付板５３のねじ孔５３ａに螺合する。
一対の延伸片５１ｂは回転体本体５１ａの中心軸を挟んで相反する方向に延伸する。一対の延伸片５１ｂは回転体５１の回転によりダクトレールＢのレール溝１ａに係合する。操作レバー５１ｃは一対の延伸片５１ｂの表側に位置する。
【００６３】
（７−２）取付板
取付板５３は、方形状の平板部５３ｂと、平板部５３ｂから設置面側に湾曲する湾曲部５３ｃと、平板部５３ｂから設置面側に突出する突出部５３ｄとを有する。
湾曲部５３ｃは平坦部分を有するように湾曲する。平坦部分にはねじ孔５３ａが設けられている。これにより回転体５１の回転がスムーズとなる。
照明装置ＡをダクトレールＢに取り付ける際にプラグ５０の操作レバー５１ｃを表裏方向の回転軸廻りに回転操作して取り付けた位置に突出部５３ｄは存在する。つまり、突出部５３ｄは操作レバー５１ｃのストッパとしての機能を有する。
取付板５３が方形状を構成する１辺から外側に段差状に張り出す張出部５３ｆを有する。張出部５３ｆは、取付板５３をベース１２に固定する際に、ベース１２の貫通溝１２１ｇに裏側から挿入されて貫通溝１２１ｇの周辺部に係合する。
取付板５３は張出部５３ｆと対向する辺の周辺に固定部を有する。固定部は取付板５３をベース１２に取り付ける際に利用される。ここでの固定は固定具としてねじ８８が利用され、固定部としてねじ孔５３ｈが利用される。ここでのねじ孔５３ｈはバーリング加工により形成されている。
【００６４】
以上、実施形態を説明したが、この実施形態に限られるものではなく、例えば、以下のような変形例であってもよい。また、実施形態と変形例、変形例同士を組み合わせたものであってよい。
また、実施形態や変形例に記載していていない例や、要旨を逸脱しない範囲の設計変更があっても本発明に含まれる。
【００６５】
＜変形例＞
１．照明装置
筐体２０は照明ケース１９と電源ケース３２とで構成されていたが、例えば、ベースとカバーとで構成するようにしてもよい。この場合、ＬＥＤ素子や電源回路が収容される筐体は１つのケースから構成されることになる。但し、ＬＥＤモジュールと電源回路とは長さ方向に沿って実質的に重ならないようにする必要がある。なお、照明部と点灯ユニット部とをカバー等で仕切ることによりＬＥＤ素子からの光が点灯ユニット部側に到達せず、照明部から出射される光を多くできる。
ベース１２は金属（スチール）製であったが、例えばＬＥＤ素子への投入電力を小さくして、ＬＥＤ素子の温度上昇を抑制できればベースを樹脂で構成してもよい。
【００６６】
２．照明部
ＬＥＤ素子１１３の発光色は１種類（白色）であったが、発光色が異なる複数種類のＬＥＤ素子を用いて調色可能に構成してもよい。実施形態では、ＬＥＤ素子１１３を長さ方向に２列に配置していたが、１列または３以上の複数列に配置してもよい。
照明部１０は反射シート１６を備えていたが、例えば、ベースの表面に反射塗料（白色塗料）を塗布してもよい。
【００６７】
３．点灯ユニット部
（１）電源回路
電源回路３１は、ユニットカバー３５に取り付けられていたが、例えば、ベースに取り付けてもよい。この場合、電源回路と接続ユニットとが近接することになり、電源回路の電源基板と接続ユニットの導電板とを直接接触するようにしてもよい。例えば、導電板の一部をばね形状にし、ばね部が電源基板の端子に接触するようにしてもよい。
表側から電源回路３１及びセンサーユニット３７を見たときに、両ユニットは重なっているが、重ならないように配置してもよい。電源回路３１とセンサーユニット３７とで別の基板を利用していたが、センサーを電源回路の電源基板に実装するようにしてもよい。
【００６８】
（２）センサユニット
点灯の制御は人感センサと照明センサにより行っているが、例えば、プルスイッチや壁スイッチ等のスイッチを操作して点灯、消灯するようにしてもよい。また、リモコンを操作して点灯、消灯するようにしてもよい（この場合受信素子及びリモコン用回路等が必要である）。なお、センサを利用しない場合、電源回路の回路構成を簡単にでき、小型化及びコスト低減が可能となる。
センサーユニット３７は、長さ方向の照明部１０に近い側に配されていたが、照明部から離された側に配されてもよい。
【００６９】
（３）その他
実施形態では、ユニットカバー３５内に電源回路３１とセンサーユニット３７とを収容しているが、例えば、電源回路を収容する電源回路ケースと、センサーユニット等の機能部品を収容する他の別ケースとの複数のケースに分けてもよい。
この場合、長さ方向に沿って、別ケース、電源回路ケース、照明部の順で並んでもよいし、電源回路ケース、別ケース、照明部の順で並んでいてもよい。
実施形態では、ユニットカバー３５の表面（センサーが露出している側の面）は平坦状であったが、例えば、センサーが露出している部分だけが表側に張り出すような形状であってよいし、センサーが露出している部分を含んだ幅方向の領域が表側に張り出すようにしてもよい。逆にセンサーが露出している部分だけが凹入してもよい。
また、電源回路の回路部品の配置変更等で高さを低くし、センサーユニットのスペーサーを無くしたり、センサーを電源基板に直接実装したりすることで、照明部の照明カバーとユニットカバーとの高さを略同一にできる。これにより装置全体の意匠性を高めることができる。電源回路の高さを低くするには、例えば、接続ユニットに対する長手方向の両側の空間を利用すればよい。
【００７０】
４．プラグ
電源プラグ４０は電源回路３１の裏側に配されていたが、裏側でなくてもよい。例えば、電源プラグとプラグとを照明部の裏側に設けてもよい。実施形態ではプラグ５０が１個設けられていたが、長さ方向に間隔を置いて複数個設けられてもよい。例えば、電源プラグ４０とプラグ５０との間にプラグをもう１つ設けてもよい。なお、長さ方向の中間のプラグに代えてワイヤを利用してダクトレールに照明装置を付けるようにしてもよい。ワイヤをそのまま落下防止用としてもよい。
また、ベースの裏面にダクトレールに対して位置決めをする位置決め具を備えてもよい。位置決め具としては、エンドカバー１５の位置規制部１５７のように、レール溝１ａに嵌合する嵌合部を有していればよい。位置決め具は、長さ方向の中央に１個あってもよいし、長さ方向に複数個あってもよい。
【符号の説明】
【００７１】
Ａ      照明装置
Ｂ      ダクトレール
１０      照明部
１９      照明ケース
２０      筐体
３０      点灯ユニット部
３１      電源回路
３２      電源ケース
３５      ユニットカバー
４０      電源プラグ（装着プラグ）
５０      プラグ（装着プラグ）
１１３      ＬＥＤ素子
【図１】
2018073555.tif 000003
【図２】
2018073555.tif 000004
【図３】
2018073555.tif 000005
【図４】
2018073555.tif 000006
【図５】
2018073555.tif 000007
【図６】
2018073555.tif 000008
【図７】
2018073555.tif 000009
【図８】
2018073555.tif 000010
【図９】
2018073555.tif 000011
【図１０】
2018073555.tif 000012
【図１１】
2018073555.tif 000013
【図１２】
2018073555.tif 000014
【図１３】
2018073555.tif 000015
【図１４】
2018073555.tif 000016
【図１５】
2018073555.tif 000017
【図１６】
2018073555.tif 000018
【図１７】
2018073555.tif 000019